(57)【要約】【課題】  製造工程で廃棄部品を生ずることを防止できる表示装置を提供する。【解決手段】  表示装置は、ディスプレイを有する本体１２と、ディスプレイの前面を覆う前面ユニット１３と、を具備する。前面ユニット１３は、保護板２２と、枠形状をなして保護板２２の縁部を支持するとともに、保護板２２を固定するための複数の貫通孔２４を有する枠体２３と、保護板２２から保護板２２と交差する方向に突出するとともに、貫通孔２４に通される複数のピン４３と、保護板２２と枠体２３とを固定するねじ２６と、を具備する。【選択図】  図４
2010211054.tif 000002
【特許請求の範囲】
【請求項１】
ディスプレイを有する本体と、
前記ディスプレイの前面を覆う前面ユニットと、
を具備し、
前記前面ユニットは、
保護板と、
枠形状をなして前記保護板の縁部を支持するとともに、前記保護板を固定するための複数の貫通孔を有する枠体と、
前記保護板から前記保護板と交差する方向に突出するとともに、前記貫通孔に通される複数のピンと、
前記保護板と前記枠体とを固定するねじと、
を具備することを特徴とする表示装置。
【請求項２】
前記ピン同士の間の位置で、前記保護板と前記枠体とを固定するようにこれらの間に介在されるシート状のファスナ部材を具備することを特徴とする請求項１に記載の表示装置。
【請求項３】
前記ピンは、その先端部に固定穴を有し、この固定穴に対して前記枠体の背面から前記ねじが取り付けられることを特徴とする請求項１に記載の表示装置。
【請求項４】
前記複数のピンは、前記保護板の角部に対応する位置に設けられることを特徴とする請求項１に記載の表示装置。
【請求項５】
前記角部に隣接した前記保護板の１つの辺と平行に延びる第１の腕部と、前記角部に隣接した前記保護板の他の辺と平行に延びる第２の腕部と、これらと一体になった前記ピンと、を有するとともに前記保護板に接着された補強板を具備することを特徴とする請求項４に記載の表示装置。
【請求項６】
前記枠体は、前記ファスナ部材が配置された凹部を有することを特徴とする請求項２に記載の表示装置。
【請求項７】
保護板と、
枠形状をなして前記保護板の縁部を支持するとともに、前記保護板を固定するための複数の貫通孔を有する枠体と、
前記保護板から前記保護板と交差する方向に突出するとともに、前記貫通孔に通される複数のピンと、
前記保護板と前記枠体とを固定するねじと、
を具備することを特徴とする前面ユニット。
【請求項８】
枠体に設けられる複数の貫通孔に対して保護板から突出した複数のピンを挿入して前記枠体に対して前記保護板を位置決めし、前記ピン同士の間の位置で前記枠体と前記保護板との間に介在されるファスナ部材を用いてこれらを仮固定し、前記複数のピンに対して前記枠体の背面からねじを固定して前記枠体と前記保護板とを本固定することを特徴とする前面ユニットの製造方法。
【発明の詳細な説明】
【技術分野】
【０００１】
本発明は、フラットな表示画面を有する表示装置に関する。
【背景技術】
【０００２】
大画面化に適したプラズマディスプレイ装置が開示されている。このプラズマディスプレイ装置は、表示画面となるパネルと、パネルを保持するシャーシと、パネルの前面を覆う前面保護カバーと、を備えている。前面保護カバーは、開口部を有する前面枠と、この開口部に取り付けられる樹脂やガラス等からなる保護板と、保護板を内側から押さえるための保護板押さえ金具と、を有する。
【０００３】
このプラズマディスプレイ装置において、保護板は、開口部の周縁部と、保護板押さえ金具との間に挟まれることにより、前面枠に対して取り付けられている（例えば、特許文献１参照）。
【先行技術文献】
【特許文献】
【０００４】
【特許文献１】特開２００７−１９９７０５号公報
【発明の概要】
【発明が解決しようとする課題】
【０００５】
ところで、大画面のテレビ等において、前面枠と保護板との間の固定に両面テープを用いることがある。このとき、前面枠と保護板との間にゴミが入ったり、前面枠に傷等があったりする不具合を生じると、前面枠と保護板とを分離して再度組み直す作業が行われる。その際、両面テープの接着力に抗して保護板を剥がすため、保護板に反りを生じたり、保護板および前面枠に両面テープの接着剤が残ったりする。このため、保護板や前面枠が廃棄処分となることが多く製造工程に無駄を生じていた。
【０００６】
本発明の目的の一つは、製造工程で廃棄部品を生ずることを防止できる表示装置を提供することにある。
【課題を解決するための手段】
【０００７】
前記目的を達成するため、本発明の一つの形態に係る表示装置は、ディスプレイを有する本体と、前記ディスプレイの前面を覆う前面ユニットと、を具備し、前記前面ユニットは、保護板と、枠形状をなして前記保護板の縁部を支持するとともに、前記保護板を固定するための複数の貫通孔を有する枠体と、前記保護板から前記保護板と交差する方向に突出するとともに、前記貫通孔に通される複数のピンと、前記保護板と前記枠体とを固定するねじと、を具備する。
【０００８】
前記目的を達成するため、本発明の一つの形態に係る前面ユニットは、保護板と、枠形状をなして前記保護板の縁部を支持するとともに、前記保護板を固定するための複数の貫通孔を有する枠体と、前記保護板から前記保護板と交差する方向に突出するとともに、前記貫通孔に通される複数のピンと、前記保護板と前記枠体とを固定するねじと、を具備する。
【０００９】
前記目的を達成するため、本発明の一つの形態に係る前面ユニットの製造方法は、枠体に設けられる複数の貫通孔に対して保護板から突出した複数のピンを挿入して前記枠体に対して前記保護板を位置決めし、前記ピン同士の間の位置で前記枠体と前記保護板との間に介在されるファスナ部材を用いてこれらを仮固定し、前記複数のピンに対して前記枠体の背面からねじを固定して前記枠体と前記保護板とを本固定する。
【発明の効果】
【００１０】
上記の構成によれば、製造工程で廃棄部品を生ずることを防止できる表示装置を提供できる。
【図面の簡単な説明】
【００１１】
【図１】第１の実施形態に係る表示装置を示す斜視図。
【図２】図１に示す表示装置の縦方向に沿った断面図。
【図３】図１に示す表示装置の前面ユニットを分解して示した斜視図。
【図４】図３に示す前面ユニットを図３に示すものとは異なる角度に展開して示した断面図。
【図５】図３に示す前面ユニットをファスナ部材の近傍で横方向に沿って切断して示した断面図。
【図６】図７に示す前面ユニットの保護板と枠体とを仮固定した状態を示した断面図。
【図７】図４に示される前面ユニットの補強板を表面側から示した斜視図。
【図８】図７に示される補強板を裏面側から示した斜視図。
【図９】図３に示す前面ユニットの一部を拡大して示した分解斜視図。
【図１０】図２に示す前面ユニットの固定穴およびねじを拡大して示した斜視図。
【発明を実施するための形態】
【００１２】
以下に、図１から図１０を参照して、表示装置の一例である薄型テレビの実施形態について説明する。
【００１３】
図１と図２に示すように、薄型テレビ１１は、液晶パネルを含んだ本体１２と、液晶パネル１６の前面を覆う前面ユニット１３と、を備えている。本体１２は、スタンド１４と、スタンド１４の上方に支持される方形板状のフレーム１５と、フレーム１５の前面に取り付けられたディスプレイの一例である液晶パネル１６と、液晶パネル１６を駆動するパネルコントローラ１７と、液晶パネル１６等に電力を供給する電源ユニット１８と、本体１２の背面側を覆う背面カバー１９と、を有している。
【００１４】
前面ユニット１３と背面カバー１９とによって、薄型テレビ１１の外殻である筐体が構成されている。パネルコントローラ１７および電源ユニット１８は、例えば、フレーム１５の背面に固定されている。本実施形態では、ディスプレイの一例として液晶パネル１６を用いているが、これに限定されるものではない。ディスプレイは、例えば、有機ＥＬ装置やプラズマディスプレイ等のその他の表示パネルであってもよい。
【００１５】
前面ユニット１３は、例えばねじ止め等の手段によってフレーム１５に固定されている。図３と図４、図１０に示すように、前面ユニット１３は、保護板２２と、保護板２２の縁部を支持する枠体２３と、枠体２３に設けられた複数の貫通孔２４と、保護板２２の枠体２３に対向する面に接着される複数の補強板２５と、保護板２２と枠体２３とを固定する複数のねじ２６と、保護板２２と枠体２３との間の位置に介在される複数のファスナ部材２７と、を有している。
【００１６】
保護板２２は、例えば、アクリル系の樹脂によって、透明で方形をなした板状に形成されている。ねじ２６は、ねじ本体２６Ａと、ねじ本体２６Ａに取り付けられた座金３１と、を有している。ファスナ部材２７は、着脱自在の部材であることが好ましい。本実施形態では、互いの面を押し付けると貼り付くようになっており、貼り付けたり剥がしたりすることが自在にできる部材（例えばいわゆるマジックテープ（登録商標）（hook and loop fastener））で構成されている。ファスナ部材２７は、枠体２３に接着された第１の部分３２と、保護板２２に接着された第２の部分３３と、を有している。第１の部分３２および第２の部分３３は、いずれもシート状をなしている。
【００１７】
図４から図６に示すように、枠体２３は、枠形状をなしている枠体本体２３Ａと、補強板２５に対応して窪んだ第１の凹部３４と、ファスナ部材２７に対応して窪んだ第２の凹部３５と、を有している。枠体本体２３Ａは、保護板２２の四周の縁部を支持している。前記複数の貫通孔２４は、枠体本体２３Ａに設けられており、保護板２２を固定するために用いられる。図５、図６に示すように、第２の凹部３５は、ファスナ部材２７の第２の部分３３を収容可能に窪んだ凹部本体３５Ａと、凹部本体３５Ａからさらに窪んで形成されファスナ部材２７の第１の部分３２が接着される奥部３６と、を含んでいる。図９に示すように、枠体２３は、さらに、開口部３７を有し、この開口部３７には、専用の図示しない棒を差し込み可能となっている。開口部３７および棒は、保護板２２を枠体２３から分離する際に、開口部３７内に棒を差し込むようにして用いられる。
【００１８】
図７、図８に示すように、補強板２５は、例えば鉄などの材料によって、平板状で「Ｌ」字形に形成されている。補強板２５は、第１の腕部４１と、第１の腕部４１とは直交する方向に延びている第２の腕部４２と、第１の腕部４１および第２の腕部４２とを連結している連結部から一体に突出したピン４３と、を有している。第１の腕部４１は、保護板２２の角部４４に隣接している１つの辺２２Ａと平行な方向に延びている。また、第２の腕部４２は、保護板２２の他の辺２２Ｂと平行な方向に延びている。この他の辺２２Ｂは、保護板２２の角部４４に隣接しており、前記１つの辺２２Ａとは異なる方向、すなわち直交方向に延びている。ピン４３は、枠体２３の貫通孔２４の内側に通すことができるようになっている。なお、保護板２２の１つの辺２２Ａ、他の辺２２Ｂは、各補強板２５に対応する相対的な概念である。
【００１９】
補強板２５は、ピン４３が設けられる面とは反対側の面に、両面テープ４５が接着されている。両面テープ４５によって、補強板２５は、保護板２２に対して強固に固定されている。
【００２０】
ピン４３は、円柱形状に形成されており、保護板２２の面と交差する方向、すなわち保護板２２と直交する方向に延びている。ピン４３は、保護板２２の角部４４に対応する位置に設けられている。ピン４３は、その先端部に固定穴４３Ａを有している。この固定穴４３Ａに対して上記ねじ２６を締結することができる。
【００２１】
続いて、本実施形態の前面ユニット１３の製造工程について説明する。まず、図３、図４に示すように、保護板２２に対して補強板２５を位置合わせして、両面テープ４５を利用して保護板２２と補強板２５とを接着する。その際、保護板２２の各角部４４に対応する位置に、「Ｌ」字形の補強板２５が接着される。また、この補強板２５（ピン４３）同士の間の位置で、保護板２２の各辺部と平行に１又は複数のファスナ部材２７を固定する。ファスナ部材２７の第１の部分３２は、枠体２３に接着され、第２の部分３３は、保護板２２に接着される。
【００２２】
そして、図３と図９に示すように、枠体２３の貫通孔２４に対して補強板２５のピン４３を挿入する。これによって、枠体２３に対する保護板２２の位置決めがなされる。そして、図５と図６に示すように、ファスナ部材２７の第１の部分３２に対して第２の部分３３が接合される。その際、保護板２２に接着された第２の部分３３は、枠体２３の第２の凹部３５の凹部本体３５Ａに収容されて、奥部３６に設置された第１の部分３２と接合される。これによって、保護板２２と枠体２３との間の仮固定がなされる。
【００２３】
図１０に示すように、ピン４３の固定穴４３Ａに対して枠体２３の背面２３Ｂからねじ２６を締結して、保護板２２と枠体２３とを本固定する。その際、ねじ２６の座金３１が枠体２３の背面２３Ｂおよびピン４３の先端部に当接して、保護板２２と枠体２３との間の固定が強固になされる。
【００２４】
第１の実施形態によれば、薄型テレビ１１は、ディスプレイを有する本体１２と、ディスプレイの前面を覆う前面ユニット１３と、を具備し、前面ユニット１３は、保護板２２と、枠形状をなして保護板２２の縁部を支持するとともに、保護板２２を固定するための複数の貫通孔２４を有する枠体２３と、保護板２２から保護板２２と交差する方向に突出するとともに、貫通孔２４に通される複数のピン４３と、保護板２２と枠体２３とを固定するねじ２６と、を具備する。
【００２５】
この構成によれば、複数のピン４３および複数の貫通孔２４を利用することによって、枠体２３に対する保護板２２の位置決めを簡単に行うことができる。これによって、前面ユニット１３の組み立ての工程を簡略化することができる。また、両面テープ４５の使用を省略して、保護板２２と枠体２３との間の着脱を自在に行うことができる。これによって、例えば、枠体２３と保護板２２との間にゴミが侵入した場合等や保護板２２および枠体２３に傷がある場合などに、無理なく枠体２３から保護板２２を取り外すことができ、廃棄処分となる部品の発生を最小限にすることができる。
【００２６】
薄型テレビ１１は、ピン同士の間の位置で、保護板２２と枠体２３とを固定するようにこれらの間に介在されるシート状のファスナ部材２７を具備する。この構成によれば、ファスナ部材２７を保護板２２と枠体２３との間の仮固定に用いることができる。すなわち、保護板２２と枠体２３と完全に固定するには、ねじ２６を利用し、ねじ２６を固定する前までの段階では、ファスナ部材２７を用いて仮止めする。このため、ねじ２６を固定するまでに仮止め状態で保護板２２と枠体２３とを接合した状態で保持することができ、前面ユニット１３を組み立てる際の作業性を著しく向上することができる。また、ファスナ部材２７を使用することによって、両面テープ４５を使用することなく保護板２２と枠体２３との密着性を向上して、保護板２２の浮き上がりを防止することができる。さらに、ファスナ部材２７を用いれば、上記のゴミの侵入等の問題があった場合でも、保護板２２と枠体２３との着脱を自在に行うことができる。
【００２７】
また、ピン４３は、その先端部に固定穴４３Ａを有し、この固定穴４３Ａに対して枠体２３の背面２３Ｂからねじ２６が取り付けられる。この構成によれば、ピン４３を位置決めにのみ用いるのではなく、ピン４３を固定部として兼用することができる。このため、ピン４３と固定部とを別途に設ける場合に比して、構造を簡略化するとともに部品点数を削減することができる。
【００２８】
これら複数のピン４３は、保護板２２の角部４４に対応する位置に設けられることが好ましい。このため、ピン４３同士の距離が長くなったとしても、枠体２３に設けられる複数の貫通孔２４に対する位置にピン４３を設けられ、結果として保護板２２の枠体２３に対する位置決めの精度を向上することができる。また、薄型テレビ１１は、角部４４に隣接した保護板２２の１つの辺２２Ａと平行に延びる第１の腕部４１と、角部４４に隣接した保護板２２の他の辺２２Ｂと平行に延びる第２の腕部４２と、これらと一体になったピン４３と、を有するとともに保護板２２に接着された補強板２５を具備する。この構成によれば、第１の腕部４１および第２の腕部４２によって保護板２２を補強することができる。すなわち、第１の腕部４１および第２の腕部４２は、角部４４に対応する位置に設けられたピン４３から１つの辺２２Ａおよび他の辺２２Ｂと平行な方向に延びているので、応力の集中し易い箇所である角部４４近傍において保護板２２を重点的に補強することができる。
【００２９】
枠体２３は、ファスナ部材２７を配置するための凹部を有することが好ましい。このため、ファスナ部材２７を保護板２２と枠体２３との間に介在させたとしても、ファスナ部材２７の厚み寸法分だけ保護板２２が撓んでしまう事態を防止して、フルフラットな薄型テレビを実現することができる。
【００３０】
また、本実施形態の前面ユニットの製造方法では、枠体２３に設けられる複数の貫通孔２４に対して保護板２２から突出した複数のピン４３を挿入して枠体２３に対して保護板２２を位置決めし、ピン４３同士の間の位置で枠体２３と保護板２２との間に介在されるファスナ部材２７を用いてこれらを仮固定し、複数のピン４３に対して枠体２３の背面２３Ｂからねじ２６を固定して枠体２３と保護板２２とを本固定する。
【００３１】
この構成によれば、複数の貫通孔２４および複数のピン４３を用いて枠体２３に対して保護板２２を位置決めすることができるため、枠体２３に対する保護板２２の位置決めの作業を簡単に行うことができる。また、ファスナ部材２７によって保護板２２と枠体２３とが接合した仮止め状態で保持することができるため、ねじ２６を止めるまでの間に保護板２２と枠体２３とが分離してしまう事態が生ずることを防止できる。さらに、本方法によれば、保護板２２と枠体２３との間に両面テープ４５を介在させる必要がないため、保護板２２と枠体２３と分解する必要がある際に、これらを無理なく分離して廃棄処分となる部品を最小限とすることができる。
【００３２】
本発明の表示装置は、薄型テレビに限らず、例えばパソコン用のディスプレイとしても実施可能である。その他、表示装置は、発明の要旨を逸脱しない範囲で種々変形して実施することができる。
【符号の説明】
【００３３】
１１…薄型テレビ、１２…本体、１３…前面ユニット、１６…液晶パネル、２２…保護板、２２Ａ…１つの辺、２２Ｂ…他の辺、２３…枠体、２３Ｂ…背面、２４…貫通孔、２５…補強板、２６…ねじ、２７…ファスナ部材、３１…座金、３５…第２の凹部（凹部）、４１…第１の腕部、４２…第２の腕部、４３…ピン、４４…角部
【図１】
2010211054.tif 000003
【図２】
2010211054.tif 000004
【図３】
2010211054.tif 000005
【図４】
2010211054.tif 000006
【図５】
2010211054.tif 000007
【図６】
2010211054.tif 000008
【図７】
2010211054.tif 000009
【図８】
2010211054.tif 000010
【図９】
2010211054.tif 000011
【図１０】
2010211054.tif 000012
【手続補正書】
【提出日】平成22年4月12日(2010.4.12)
【手続補正２】
【補正対象書類名】明細書
【補正対象項目名】０００７
【補正方法】変更
【補正の内容】
【０００７】
前記目的を達成するため、本発明の一つの形態に係る表示装置は、ディスプレイを有する本体と、前記ディスプレイの前面を覆う前面ユニットと、を具備し、前記前面ユニットは、保護板と、枠形状をなして前記保護板の縁部を支持するとともに、前記保護板を固定するための複数の貫通孔を有する枠体と、前記保護板の角部に対応する位置から前記保護板と交差する方向に突出するとともに、前記貫通孔に通される複数のピンと、前記保護板と前記枠体とを固定するねじと、前記保護板と前記枠体とを固定するようにこれらの間に介在されるファスナ部材と、前記角部に隣接した前記保護板の１つの辺と平行に延びる第１の腕部と、前記角部に隣接した前記保護板の他の辺と平行に延びる第２の腕部と、これらと一体になった前記ピンと、を有するとともに前記保護板に接着された補強板と、を具備する。
【手続補正３】
【補正対象書類名】明細書
【補正対象項目名】０００８
【補正方法】変更
【補正の内容】
【０００８】
前記目的を達成するため、本発明の一つの形態に係る前面ユニットは、保護板と、枠形状をなして前記保護板の縁部を支持するとともに、前記保護板を固定するための複数の貫通孔を有する枠体と、前記保護板の角部に対応する位置から前記保護板と交差する方向に突出するとともに、前記貫通孔に通される複数のピンと、前記保護板と前記枠体とを固定するねじと、前記保護板と前記枠体とを固定するようにこれらの間に介在されるファスナ部材と、前記角部に隣接した前記保護板の１つの辺と平行に延びる第１の腕部と、前記角部に隣接した前記保護板の他の辺と平行に延びる第２の腕部と、これらと一体になった前記ピンと、を有するとともに前記保護板に接着された補強板と、を具備する。
【手続補正４】
【補正対象書類名】明細書
【補正対象項目名】０００９
【補正方法】削除
【補正の内容】
【手続補正５】
【補正対象書類名】特許請求の範囲
【補正対象項目名】全文
【補正方法】変更
【補正の内容】
【特許請求の範囲】
【請求項１】
ディスプレイを有する本体と、
前記ディスプレイの前面を覆う前面ユニットと、
を具備し、
前記前面ユニットは、
保護板と、
枠形状をなして前記保護板の縁部を支持するとともに、前記保護板を固定するための複数の貫通孔を有する枠体と、
前記保護板の角部に対応する位置から前記保護板と交差する方向に突出するとともに、前記貫通孔に通される複数のピンと、
前記保護板と前記枠体とを固定するねじと、
前記保護板と前記枠体とを固定するようにこれらの間に介在されるファスナ部材と、
前記角部に隣接した前記保護板の１つの辺と平行に延びる第１の腕部と、前記角部に隣接した前記保護板の他の辺と平行に延びる第２の腕部と、これらと一体になった前記ピンと、を有するとともに前記保護板に接着された補強板と、
を具備することを特徴とする表示装置。
【請求項２】
前記ピンは、その先端部に固定穴を有し、この固定穴に対して前記枠体の背面から前記ねじが取り付けられることを特徴とする請求項１に記載の表示装置。
【請求項３】
ディスプレイを有する本体と、
前記ディスプレイの前面を覆う前面ユニットと、
を具備し、
前記前面ユニットは、
保護板と、
枠形状をなして前記保護板の縁部を支持するとともに、前記保護板を固定するための複数の貫通孔を有する枠体と、
前記保護板の角部に対応する位置から前記保護板と交差する方向に突出するとともに、前記貫通孔に通される複数のピンと、
前記保護板と前記枠体とを固定するねじと、
前記保護板と前記枠体とを固定するようにこれらの間に介在されるファスナ部材と、
を具備し、
前記枠体は、前記ファスナ部材が配置された凹部を有することを特徴とする表示装置。
【請求項４】
前記ピンは、その先端部に固定穴を有し、この固定穴に対して前記枠体の背面から前記ねじが取り付けられることを特徴とする請求項３に記載の表示装置。
【請求項５】
保護板と、
枠形状をなして前記保護板の縁部を支持するとともに、前記保護板を固定するための複数の貫通孔を有する枠体と、
前記保護板の角部に対応する位置から前記保護板と交差する方向に突出するとともに、前記貫通孔に通される複数のピンと、
前記保護板と前記枠体とを固定するねじと、
前記保護板と前記枠体とを固定するようにこれらの間に介在されるファスナ部材と、
前記角部に隣接した前記保護板の１つの辺と平行に延びる第１の腕部と、前記角部に隣接した前記保護板の他の辺と平行に延びる第２の腕部と、これらと一体になった前記ピンと、を有するとともに前記保護板に接着された補強板と、
を具備することを特徴とする前面ユニット。
【請求項６】
前記ピンは、その先端部に固定穴を有し、この固定穴に対して前記枠体の背面から前記ねじが取り付けられることを特徴とする請求項５に記載の前面ユニット。
【請求項７】
前記枠部は、前記補強板に対応した凹部を有したことを特徴とする請求項１に記載の表示装置。
【請求項８】
前記枠部は、前記補強板に対応した凹部を有したことを特徴とする請求項５に記載の前面ユニット。
【手続補正書】
【提出日】平成22年7月14日(2010.7.14)
【手続補正１】
【補正対象書類名】特許請求の範囲
【補正対象項目名】全文
【補正方法】変更
【補正の内容】
【特許請求の範囲】
【請求項１】
ディスプレイを有する本体と、
前記ディスプレイの前面を覆う前面ユニットと、
を具備し、
前記前面ユニットは、
保護板と、
枠形状をなして前記保護板の縁部を支持するとともに、前記保護板を固定するための複数の貫通孔を有する枠体と、
前記保護板の角部に対応する位置から前記保護板と交差する方向に突出するとともに、前記貫通孔に通される複数のピンと、
前記保護板と前記枠体とを固定するねじと、
前記保護板と前記枠体とを固定するようにこれらの間に介在されるファスナ部材と、
前記角部に隣接した前記保護板の１つの辺と平行に延びる第１の腕部と、前記角部に隣接した前記保護板の他の辺と平行に延びる第２の腕部と、これらと一体になった前記ピンと、を有するとともに前記保護板に接着された補強板と、
を具備することを特徴とする表示装置。
【請求項２】
前記ピンは、その先端部に固定穴を有し、この固定穴に対して前記枠体の背面から前記ねじが取り付けられることを特徴とする請求項１に記載の表示装置。
【請求項３】
ディスプレイを有する本体と、
前記ディスプレイの前面を覆う前面ユニットと、
を具備し、
前記前面ユニットは、
保護板と、
枠形状をなして前記保護板の縁部を支持するとともに、前記保護板を固定するための複数の貫通孔を有する枠体と、
前記保護板の角部に対応する位置から前記保護板と交差する方向に突出するとともに、前記貫通孔に通される複数のピンと、
前記保護板と前記枠体とを固定するねじと、
前記保護板と前記枠体とを固定するようにこれらの間に介在されるファスナ部材と、
を具備し、
前記枠体は、前記ファスナ部材が配置された凹部を有することを特徴とする表示装置。
【請求項４】
前記ピンは、その先端部に固定穴を有し、この固定穴に対して前記枠体の背面から前記ねじが取り付けられることを特徴とする請求項３に記載の表示装置。
【請求項５】
保護板と、
枠形状をなして前記保護板の縁部を支持するとともに、前記保護板を固定するための複数の貫通孔を有する枠体と、
前記保護板の角部に対応する位置から前記保護板と交差する方向に突出するとともに、前記貫通孔に通される複数のピンと、
前記保護板と前記枠体とを固定するねじと、
前記保護板と前記枠体とを固定するようにこれらの間に介在されるファスナ部材と、
前記角部に隣接した前記保護板の１つの辺と平行に延びる第１の腕部と、前記角部に隣接した前記保護板の他の辺と平行に延びる第２の腕部と、これらと一体になった前記ピンと、を有するとともに前記保護板に接着された補強板と、
を具備することを特徴とする前面ユニット。
【請求項６】
前記ピンは、その先端部に固定穴を有し、この固定穴に対して前記枠体の背面から前記ねじが取り付けられることを特徴とする請求項５に記載の前面ユニット。
【請求項７】
前記枠体は、前記補強板に対応した凹部を有したことを特徴とする請求項１に記載の表示装置。
【請求項８】
前記枠体は、前記補強板に対応した凹部を有したことを特徴とする請求項５に記載の前面ユニット。